(57)【要約】複数のディスク夫々に割り当てられた色又は画像が表示されて、再生するディスク及び録画されるディスクを一目で識別し易い再生装置及びプログラムを提供する。複数の光ディスクが記録再生装置に登録される。また、各光ディスクには、色又はアイコン等の画像が割り当てられる。記録再生装置は、番組表を表示して、各登録ディスクに録画する番組の録画予約を受付ける。番組表に表示される番組の内、録画予約された番組の背景色に録画先の光ディスクに割り当てられた色が設定される。また、記録再生装置は、録画された番組を再生している状態でユーザによる再生操作を受付けた場合、再生している光ディスクに割り当てられた色を用いて、受付けた再生操作を示す画像を再生映像にＯＳＤ表示する。
2011033923.tif 000002
【特許請求の範囲】
【請求項１】
複数の記録媒体の内、一の記録媒体を再生する再生部を備えた再生装置において、
前記複数の記録媒体夫々に対して複数の色又は画像の内、一つの色又は画像を割り当てる割当部と、
前記再生部により前記一の記録媒体を再生する場合、前記割当部により前記一の記録媒体に対して割り当てられた色又は画像を表示する色表示部と
を備えることを特徴とする再生装置。
【請求項２】
前記複数の記録媒体に記録してあるデータの一覧を、各データが記録してある記録媒体に対して前記割当部により割り当てられた色又は画像と共に表示する一覧表示部を備えることを特徴とする請求項１に記載の再生装置。
【請求項３】
放送される番組のデータを前記一の記録媒体に記録する記録部と、
該記録部によりデータを記録する番組の予約及び前記複数の記録媒体の内、該データを記録する一の記録媒体の選択を受付ける予約部と、
前記予約部により受付けた番組を該番組のデータを記録する一の記録媒体に対して前記割当部により割り当てられた色又は画像と共に番組表に表示する番組表表示部と
を備える
ことを特徴とする請求項１又は請求項２に記載の再生装置。
【請求項４】
前記予約部により予約を受け付けた番組の一覧を、各番組のデータを記録する一の記録媒体夫々に対して前記割当部により割り当てられた色又は画像と共に表示する予約一覧表示部を備えることを特徴とする請求項３に記載の再生装置。
【請求項５】
前記複数の記録媒体夫々は、媒体識別情報が記録してあり、
前記記録部により記録するデータを記憶することができる複数の記憶領域を有するデータ記憶部と、
前記一の記録媒体に記録してある媒体識別情報を前記複数の記憶領域の内の一の記憶領域に関連付けて記憶する媒体記憶部と、
記録媒体に記録しているデータ及び該記録媒体の媒体識別情報を関連付けてある記憶領域で記憶しているデータを示す情報を互いに関連付けて記憶する関連記憶部と
を備えることを特徴とする請求項３又は請求項４に記載の再生装置。
【請求項６】
前記再生部は、
前記複数の記憶領域の内の一の記憶領域を再生可能に構成してあり、
前記色表示部は、前記再生部により前記一の記憶領域を再生する場合、前記一の記憶領域に関連付けられた媒体識別情報が記録してある記録媒体に対して前記割当部により割り当てた色又は画像を表示するよう構成してある
ことを特徴とする請求項５に記載の再生装置。
【請求項７】
記録媒体が装着される装着部を備え、
前記データ記憶部は、前記予約部により選択を受付けた一の記録媒体が前記装着部に装着されていない場合、該一の記録媒体に記録してある媒体識別情報が関連付けられた一の記憶領域に記憶するよう構成してある
ことを特徴とする請求項６に記載の再生装置。
【請求項８】
前記再生部は、再生する一の記録媒体が前記装着部に装着されていない場合、前記一の記録媒体に記録してある媒体識別情報を関連付けてある記憶領域を再生するよう構成してある
ことを特徴とする請求項６又は請求項７に記載の再生装置。
【請求項９】
複数の記録媒体の内、一の記録媒体を再生する再生装置が備えるコンピュータに前記複数の記録媒体夫々に対して色又は画像を割り当てるプログラムにおいて、
前記コンピュータに、
前記複数の記録媒体夫々に対して割り当てる色又は画像を受付ける受付ステップと、
該受付ステップにより受付けた色又は画像を、前記複数の記録媒体夫々に関連付けて記憶する記憶ステップと
を実行させることを特徴とするプログラム。
【発明の詳細な説明】
【技術分野】
【０００１】
本発明は、複数のディスク夫々に割り当てられた色又は画像が表示されて、再生するディスク及び録画されるディスクを一目で識別し易い再生装置及びプログラムに関する。
【背景技術】
【０００２】
記録媒体としてＢＤ（Blu-ray Disk、登録商標）及びＤＶＤ（ Digital Versatile Disk ）等のディスクが広く使われている。家庭に設置された再生装置では、一台の再生装置を複数のユーザが使用することがある。この場合、各ユーザが所有する複数のディスクの内、一つのディスクが一台の再生装置に装着されて当該ディスクの再生又は録画が行われることがある。そこで、自己のディスクが再生装置に装着されていることをユーザが確認できるように再生装置に装着されたディスクをユーザが識別可能にする必要がある。【０００３】
また、番組の録画予約機能を有する一台の再生装置を複数のユーザが使用することがある。一般に再生装置は、装着された一つのディスクにのみ録画が可能である。このような再生装置では、一のユーザは、他のユーザにより既に録画予約されており、他のユーザが所有するディスクへ録画される番組を重複して録画予約することができない。この場合、一のユーザは、録画予約に従って番組が録画された他のユーザが所有するディスクを再生して番組を視聴することがある。そこで、録画予約された番組の録画先のディスクをユーザが識別可能にする必要がある。【０００４】
特許文献１には、各ディスクに記録したユーザ情報に対応付けてディスクのタイトルを登録する再生装置が記載されている。この再生装置は、ハードディスクを内蔵しており、ディスクから読み出したユーザ情報を当該ディスクのタイトル名に関連付けてハードディスクに予め記憶するようにしてある。そして、再生装置は、ディスクが装着された場合、ディスクから読み出したユーザ情報に対応して記憶してあるタイトルをハードディスクから読み出して表示することにより、ユーザがディスクを識別可能にしている。
【先行技術文献】
【特許文献】
【０００５】
【特許文献１】特開２００５−３０２１３８号公報
【発明の概要】
【発明が解決しようとする課題】
【０００６】
しかしながら、従来の再生装置は、再生するディスク及び録画されるディスクを一目で識別することが困難であるという問題があった。【０００７】
本願は、斯かる事情に鑑みてなされたものである。その目的は、各ディスクに対して色又は画像を割り当てることにより、再生するディスク及び録画されるディスクを一目で識別することが可能となる再生装置及びプログラムを提供することにある。
【課題を解決するための手段】
【０００８】
本願に開示する再生装置は、複数の記録媒体の内、一の記録媒体を再生する再生部を備えた再生装置において、前記複数の記録媒体夫々に対して複数の色又は画像の内、一つの色又は画像を割り当てる割当部と、前記再生部により前記一の記録媒体を再生する場合、前記割当部により前記一の記録媒体に対して割り当てられた色又は画像を表示する色表示部とを備えることを特徴とする。【０００９】
本発明にあっては、記録媒体としてのディスク複数がユーザ夫々に対応付けて予め登録されている。また、各ディスクに対応付けられたユーザ夫々に対して色又はアイコン等の画像が割り当てられる。複数のディスクの内、一のディスクに記録されているデータを再生する場合、当該一のディスクに割り当てられている色又はアイコン等の画像が画面に表示される。これにより、再生装置により再生するディスクが一眼で識別可能となる。【００１０】
本願に開示する再生装置は、前記複数の記録媒体に記録してあるデータの一覧を、各データが記録してある記録媒体に対して前記割当部により割り当てられた色又は画像と共に表示する一覧表示部を備えることを特徴とする。【００１１】
本発明にあっては、複数のディスクに記録してあるデータの一覧が各データが記録してあるディスクに割り当てられた色又は画像を用いて表示され、各データが記録されるディスク夫々を一目で識別することが可能となる。【００１２】
本願に開示する再生装置は、放送される番組のデータを前記一の記録媒体に記録する記録部と、該記録部によりデータを記録する番組の予約及び前記複数の記録媒体の内、該データを記録する一の記録媒体の選択を受付ける予約部と、前記予約部により受付けた番組を該番組のデータを記録する一の記録媒体に対して前記割当部により割り当てられた色又は画像と共に番組表に表示する番組表表示部とを備えることを特徴とする。【００１３】
本発明にあっては、予約された番組が当該番組の録画先のディスクに割り当てられた色又は画像を用いて番組表に表示される。録画予約した番組の録画先のディスクをユーザが一眼で識別することが可能となる。【００１４】
本願に開示する再生装置は、前記予約部により予約を受け付けた番組の一覧を、各番組のデータを記録する一の記録媒体夫々に対して前記割当部により割り当てられた色又は画像と共に表示する予約一覧表示部を備えることを特徴とする。【００１５】
本発明にあっては、予約された番組の一覧が当該番組の録画先のディスクに割り当てられた色及び画像を用いて表示される。録画予約した番組の録画先のディスクをユーザが一眼で識別することが可能となる。【００１６】
本願に開示する再生装置は、前記複数の記録媒体夫々は、媒体識別情報が記録してあり、前記記録部により記録するデータを記憶することができる複数の記憶領域を有するデータ記憶部と、前記一の記録媒体に記録してある媒体識別情報を前記複数の記憶領域の内の一の記憶領域に関連付けて記憶する媒体記憶部と、記録媒体に記録しているデータ及び該記録媒体の媒体識別情報を関連付けてある記憶領域で記憶しているデータを示す情報を互いに関連付けて関連記憶部とを備えることを特徴とする。【００１７】
本発明にあっては、各ディスクのディスク識別情報を再生装置が有する記憶部の特定の記憶領域に関連付けて記憶することにより、各ディスクを特定の記憶領域に対応付けて再生装置に登録する。再生装置は、記憶領域の記憶内容と、ディスクの記録内容とをまとめて管理し、ディスクに対するデータの記録及び再生を補助するように記憶領域に対してデータの記録及び再生を行う。複数のディスク及び記憶領域の内、一のディスク及び記憶領域に記録されているデータを再生する場合、当該一のディスクに割り当てられている色又はアイコン等の画像が画面の端部に表示される。これにより、再生装置に装着されて再生するディスク、又は再生装置により再生する記憶領域に対応付けられたディスクを一眼で識別可能となる。【００１８】
本願に開示する再生装置は、前記再生部は、前記複数の記憶領域の内の一の記憶領域を再生可能に構成してあり、前記色表示部は、前記再生部により前記一の記憶領域を再生する場合、前記一の記憶領域に関連付けられた媒体識別情報が記録してある記録媒体に対して前記割当部により割り当てた色又は画像を表示するよう構成してあることを特徴とする。【００１９】
本発明にあっては、ディスクに記録されるデータが当該ディスクに対応付けられた記憶領域に記憶される。記憶領域に記憶されたデータが再生される場合、当該記憶領域に対応付けたディスクに割り当てられた色又は画像が表示される。これにより、再生装置により再生する記憶領域に対応するディスクが一目で識別可能となる。【００２０】
本願に開示する再生装置は、記録媒体が装着される装着部を備え、前記データ記憶部は、前記予約部により選択を受付けた一の記録媒体が前記装着部に装着されていない場合、該一の記録媒体に記録してある媒体識別情報が関連付けられた一の記憶領域に記憶するよう構成してあることを特徴とする。【００２１】
本発明にあっては、録画予約した番組の録画先のディスクが装着されていない場合、当該ディスクに対応付けられた記憶領域に録画される。記憶領域に対応付けたディスクに割り当てられた色又は画像を表示することにより、再生装置により録画される記憶領域に対応するディスクが一目で識別可能となる。【００２２】
本願に開示する再生装置は、前記再生部は、再生する一の記録媒体が前記装着部に装着されていない場合、前記一の記録媒体に記録してある媒体識別情報を関連付けてある記憶領域を再生するよう構成してあることを特徴とする。【００２３】
本発明にあっては、前記再生部は、再生するディスクが装着されていない場合、当該ディスクに対応付けられた記憶領域が再生される。記憶領域に対応付けたディスクに割り当てられた色又は画像を表示することにより、再生装置により再生する記憶領域に対応するディスクが一目で識別可能となる。【００２４】
本願に開示するプログラムは、複数の記録媒体の内、一の記録媒体を再生する再生装置が備えるコンピュータに前記複数の記録媒体夫々に対して色又は画像を割り当てるプログラムにおいて、前記コンピュータに、前記複数の記録媒体夫々に対して割り当てる色又は画像を受付ける受付ステップと、該受付ステップにより受付けた色又は画像を、前記複数の記録媒体夫々に関連付けて記憶する記憶ステップとを実行させることを特徴とする。【００２５】
本発明にあっては、ユーザ夫々に対応付けてディスク複数が予め登録されている。また、各ディスクに色又はアイコン等の画像が割り当てられる。複数のディスクの内、一のディスクに記録されているデータを再生する場合、当該一のディスクに割り当てられている色又はアイコン等の画像を画面の端部に表示する。これにより、再生装置により再生するディスクを一眼で識別可能となる。
【発明の効果】
【００２６】
当該装置の一観点によれば、各ディスクに対して色又は画像を割り当てることにより、再生するディスク及び録画されるディスクを一目で識別することが可能となる。
【図面の簡単な説明】
【００２７】
【図１】記録再生装置、表示装置及びリモコンの外観を示す概念図である。
【図２】記録再生装置の内部ハードウェアの例を示すブロック図である。
【図３】記憶部の内部構成を示す模式図である。
【図４】光ディスクドライブに光ディスクが装着されてから記録再生装置が行う処理の手順を示すフローチャートである。
【図５】登録画面の例を示す模式図である。
【図６】登録処理の手順を示すフローチャートである。
【図７】予約画面の例を示す模式図である。
【図８】予約画面の表示処理の手順を示すフローチャートである。
【図９】予約画面の表示処理の手順を示すフローチャートである。
【図１０】選択画面の例を示す模式図である。
【図１１】再生画面の例を示す模式図である。
【図１２】再生する映像を選択する処理の手順を示すフローチャートである。
【図１３】選択画面の他の例を示す模式図である。
【図１４】画像登録画面の例を示す模式図である。
【図１５】予約画面の他の例を示す模式図である。
【図１６】記録再生装置の内部ハードウェアの例を示すブロック図である。
【発明を実施するための形態】
【実施の形態１】
【００２８】
以下、実施の形態を図面を参照して具体的に説明する。本願に係る再生装置は、例えば光ディスク及び磁気ディスク等の記録媒体に記録された映像音声信号を再生するＢＤ及びＤＶＤプレーヤ等の再生装置である。再生装置は、再生して得た映像音声信号を外部に接続してある液晶ディスプレイ等の表示装置に与え、表示させるようにしてある。また、本願に係る再生装置は、例えば、記録媒体に映像音声信号を記録する機能を備えたＢＤ及びＤＶＤレコーダ等の記録再生装置である。本実施の形態１では、記録再生装置を例に挙げて説明する。
【００２９】
図１は、記録再生装置、表示装置及びリモコンの外観を示す概念図である。記録再生装置１は、テレビジョン受像機である表示装置４が接続されており、表示装置４に対して映像音声信号を出力する。表示装置４は、映像音声信号に含まれる映像信号に基づいて映像を表示し、映像音声信号に含まれる音声信号に基づいて音声を放音する。また記録再生装置１は、ユーザによって操作されるリモコン（リモートコントローラ）５からの信号を受信することにより、録画予約の設定等の各種指示を受け付ける。
【００３０】
図２は、記録再生装置１の内部ハードウェアの例を示すブロック図である。記録再生装置１は、図示しない外部のアンテナ等と、放送入力部３１と、信号入力部３２とを備えている。放送入力部３１には、デジタル放送の放送波を復調した放送信号が入力される。信号入力部３２には、図示しない外部チューナ等の外部装置から映像音声信号が入力される。また、記録再生装置１は、リモコン受信部３３と、信号出力部３４と、ハイブリッドドライブ部１０と、バックエンド部２０とを備える。リモコン受信部３３は、リモコン５からの信号を受信する。
【００３１】
信号出力部３４は、表示装置４へ映像音声信号を出力する。ハイブリッドドライブ部１０は、放送された番組の映像音声を示す映像音声データを記録する。バックエンド部２０は、放送信号から映像音声データを生成する処理を行う。映像音声データは、デジタルデータであり、放送信号をデコードすることにより、映像音声データを生成することができる。バックエンド部２０は、デジタルチューナ２１及びエンコーダ２２を備える。
【００３２】
デジタルチューナ２１には放送入力部３１が接続され、エンコーダ２２には信号入力部３２が接続されている。デジタルチューナ２１には、放送入力部３１からデジタル放送の放送信号が入力される。また、デジタルチューナ２１は、入力された放送信号のうち、選局されたチャンネル即ち特定の周波数帯の放送信号をＭＰＥＧ（ Moving Picture Experts Group ）−２ＴＳ（ Transport Stream ）等のデジタルのストリームデータに変換する。
【００３３】
エンコーダ２２は、信号入力部３２から映像信号及び音声信号が入力される。エンコーダ２２は、入力された映像信号及び音声信号をＭＰＥＧ−２ＰＳ（ Program Stream ）又はＭＰＥＧ−２ＴＳ等のデジタルのストリームデータにエンコードする処理を行う。またバックエンド部２０は、ストリーム処理部２３を備えており、デジタルチューナ２１及びエンコーダ２２はストリーム処理部２３に接続されている。ストリーム処理部２３には、デジタルチューナ２１及びエンコーダ２２からストリームデータが入力される。
【００３４】
ストリーム処理部２３は、入力されたストリームデータに対してデジタル放送用のスクランブルを解除する処理等のデータ処理を施す。ストリーム処理部２３は、バックエンド部２０内のシステムバスに接続されている。またシステムバスには、演算を行う演算部を含む記録再生制御部２４、揮発性メモリである制御用メモリ２５、不揮発性メモリである保存用メモリ２７、及びストリームデータをデコードするデコーダ２８が接続されている。またデコーダ２８には、画像処理部２９が接続されている。記録再生制御部２４は、システムバスに接続された各部分間でのデータの入出力を制御する処理を行う。
【００３５】
また記録再生制御部２４にはバックエンド部２０外のリモコン受信部３３が接続されており、記録再生制御部２４は、リモコン受信部３３からの信号が入力されることにより、ユーザからの各種指示を受け付ける。なお、記録再生装置１は、更に、チューナ装置等の外部装置からストリームデータを受信するイーサネット（登録商標）等のデジタルインターフェースを備えていてもよい。このデジタルインターフェースは、ストリーム処理部２３に接続される。
【００３６】
制御用メモリ２５は、ストリーム処理部２３又は記録再生制御部２４等が実行する演算に伴う一時的な情報を記憶する。保存用メモリ２７は、記録再生制御部２４の動作に必要な制御プログラム、及び録画予約に必要な情報等、保存する必要がある情報を記憶する。デコーダ２８は、ストリームデータを映像音声信号へデコードして画像処理部２９へ与える。画像処理部２９は、画素の補間又は色調整等の画像処理を映像信号に対して実行する。画像処理部２９にはバックエンド部２０外の信号出力部３４が接続されており、映像信号及び音声信号は信号出力部３４から表示装置４へ出力される。また、画像処理部２９は、ＯＳＤ（ On Screen Display）機能を有しており、記録再生制御部２４から与えられた操作画面等の画像の信号を映像信号に重畳することにより、表示装置４に操作画面等をＯＳＤ表示可能にしてある。
【００３７】
更に、バックエンド部２０内のシステムバスには、ＳＡＴＡ（ Serial Advanced Technology Attachment ）等のインターフェース部２６が接続されており、インターフェース部２６には、バックエンド部２０外のハイブリッドドライブ部１０が接続されている。バックエンド部２０は、インターフェース部２６を介してハイブリッドドライブ部１０との間でデータを交換する。ハイブリッドドライブ部１０は、インターフェース部１４と、記録部及び再生部としての光ディスクドライブ１１と、データを記憶する記憶部（データ記憶部）１２と、ドライブ制御部１３とを備える。
【００３８】
ドライブ制御部１３は、光ディスクドライブ１１及び記憶部１２の動作を制御する。ハイブリッドドライブ部１０は、バックエンド部２０に接続するＳＡＴＡ等のインターフェース部１４を介してバックエンド部２０との間でデータを交換する。装着部としての光ディスクドライブ１１には、ＤＶＤ又はＢＤ等の光ディスクが装着される。
【００３９】
図３は、記憶部１２の内部構成を示す模式図である。記憶部１２は、記憶部１２の記憶内容を管理するための情報を記憶する管理領域、並びに番組データを記憶するための第１領域、第２領域、…、第ｎ領域及び予備領域の複数の記憶領域を含んで構成されている。ここで、ｎは正の整数である。ｎは予め適当な値に定められており、記録再生装置１の出荷時点では、記憶部１２の記憶領域が管理領域、第１〜第ｎ領域及び予備領域の複数の記憶領域に予め分割されている。
【００４０】
記憶部１２の記憶領域の内、第１〜第ｎ領域は、個別に特定の光ディスクを対応付けておき、対応付けた光ディスクに応じたデータを記憶するための記憶領域である。例えば、第１領域には特定の光ディスク６１が対応付けられ、第２領域には特定の光ディスク６２が対応付けられている。記録再生装置１の出荷時点では、いずれの領域にも光ディスクは対応付けられていない。記録再生装置１を使用するには、ユーザ所有の光ディスクを何れかの記憶領域に対応付けて登録する登録処理を行う必要がある。予備領域は、その他のデータを記憶するための記憶領域であり、例えば予備の光ディスク７１、７２、７３、…を対応付けてデータを記憶する。
【００４１】
記憶部１２の管理領域は、図３に示すように、管理領域を管理するための情報を記憶する管理領域管理部と、第１領域、第２領域、…、第ｎ領域及び予備領域の夫々を管理するための情報を記憶する第１領域管理部、第２領域管理部、…、第ｎ領域管理部及び予備領域管理部とを含んで構成されている。管理領域には、記憶部１２の記憶領域を分割した数を示すエントリ数と、管理領域中で第１〜第ｎ領域管理部及び予備領域管理部の夫々に割り当てられたエリアのアドレスを示す割り当てエリア情報とが記憶されている。
【００４２】
第１領域管理部には、第１領域の番号を示すエントリ番号、第１領域に実際に光ディスクが対応付けられているか否かを示す割り当てフラグ、及び対応付けられた光ディスクを識別するためのメディアＩＤ（媒体識別情報）が記憶される。また第１領域管理部には、記憶部１２の記憶領域中で第１領域に割り当てられたエリアのアドレスを示す割り当てエリア情報及び光ディスクのコピーガードに利用するための情報であるメディアキー情報が記憶される。
【００４３】
メディアＩＤ及びメディアキー情報は、光ディスクに予め記録されている情報であり、個々の光ディスクについて固有の情報である。記録再生装置１の出荷時点では、第１領域にはまだ光ディスク６１が対応付けられていないので、割り当てフラグは光ディスクが対応付けられていないことを示しており、特定の光ディスク６１に固有のメディアＩＤ及びメディアキー情報はまだ記憶されていない。
【００４４】
更に第１領域管理部には、第１領域に係るデータの分布状態を示すマップ情報及びメディアＩＤに対応付けられた色を示す色情報が記憶される。マップ情報は、第１領域で記憶するデータ及び第１領域に対応付けられた光ディスク６１で記録するデータが、第１領域及び光ディスク６１のどのアドレスに分布しているのかを示している。これにより、記憶部１２は、各光ディスクに記録してあるデータと、各光ディスクに対応する記憶領域に記録してあるデータとを関連付けて記憶する関連記憶部としても機能する。色情報は、記録再生装置１に登録した光ディスクに対してユーザが登録した色を示す。第２〜第ｎ領域管理部の夫々にも、同様の情報が記憶される。なお、記録再生装置１は、記憶部１２の記憶領域が予め分割されているのではなく、ユーザがｎの値を指定することによりｎを決定し、ｎの値に応じて記憶部１２の記憶領域を分割する処理を行う形態であってもよい。
【００４５】
図４は、光ディスクドライブ１１に光ディスクが装着されてから記録再生装置１が行う処理の手順を示すフローチャートである。ユーザの操作により光ディスクドライブ１１に光ディスクが装着された場合は、ドライブ制御部１３は、光ディスクのメディアＩＤを読み出す。そして、ドライブ制御部１３は、読み出したメディアＩＤをインターフェース部１４からバックエンド部２０へ入力する。記録再生制御部２４は、読み出したメディアＩＤが記憶部１２の第１〜第ｎ領域管理部のいずれかに記憶されているかを判定することにより、装着された光ディスクが既に登録済みの光ディスクであるか否かを判定する（ステップＳ２０１）。
【００４６】
メディアＩＤが記憶部１２に記憶されておらず、光ディスクが未登録であった場合は（ステップＳ２０１でＮＯ）、記録再生制御部２４は、光ディスクがフォーマット済みの光ディスクであるか否かを判定する（ステップＳ２０２）。光ディスクがフォーマット済みの光ディスクであった場合は（ステップＳ２０２でＹＥＳ）、記録再生制御部２４は、光ディスクが再生専用の光ディスクであるか否かを判定する（ステップＳ２０３）。光ディスクが再生専用ではなかった場合は（ステップＳ２０３でＮＯ）、記録再生制御部２４は、光ディスクのフォーマット指示を受け付けたか否かを判定する（ステップＳ２０４）。
【００４７】
光ディスクのフォーマット指示を受け付けた場合（ステップＳ２０４でＹＥＳ）、又はステップＳ２０２で光ディスクがフォーマット済みではなかった場合は（ステップＳ２０２でＮＯ）、記録再生制御部２４は、ドライブ制御部１３及び光ディスクドライブ１１に、光ディスクをフォーマットさせる（ステップＳ２０５）。光ディスクのフォーマット指示の受け付けがない場合は（ステップＳ２０４でＮＯ）、記録再生制御部２４は、光ディスクの登録指示を受け付けたか否かを判定する（ステップＳ２０６）。
【００４８】
ステップＳ２０５が終了した場合、記録再生制御部２４は、記憶部１２の管理領域に記憶された情報に基づき、記憶部１２の第１〜第ｎ領域の内で光ディスクが対応付けられていない記憶領域があるか否かを判定する（ステップＳ２０７）。また、ステップＳ２０６で光ディスクの登録指示を受け付けた場合も（ステップＳ２０６でＹＥＳ）、記録再生制御部２４は、記憶部１２の第１〜第ｎ領域の内で光ディスクが対応付けられていない記憶領域があるか否かを判定する（ステップＳ２０７）。
【００４９】
光ディスクが対応付けられていない記憶領域がない場合（ステップＳ２０７でＮＯ）、記録再生制御部２４は、各記憶領域に対応付けて登録してある光ディスクの内で何れかの光ディスクの登録を解消することの指示を受け付けたか否かを判定する（ステップＳ２０８）。登録解消の指示を受け付けた場合は（ステップＳ２０８でＹＥＳ）、記録再生制御部２４は、ドライブ制御部１３に、記憶部１２の管理領域に記憶されている一の光ディスクに固有の媒体情報を消去させることにより、一の光ディスクの登録を解消する処理を行う（ステップＳ２０９）。またこのとき、第１領域管理部に記憶されている割り当てフラグは、光ディスクが対応付けられていないことを示すフラグに書き換えられる。
【００５０】
ステップＳ２０７で光ディスクが対応付けられていない記憶領域がある場合（ステップＳ２０７でＹＥＳ）、又はステップＳ２０９が終了した場合、記録再生制御部２４は、光ディスクを記憶領域に対応付けて登録する登録処理を行う（ステップＳ２１０）。登録処理では、光ディスクドライブ１１に装着された光ディスクに固有の媒体情報を、光ディスクが対応付けられていない記憶領域に関連付けて記憶部１２の管理領域に記憶することにより、当該光ディスクを登録する登録処理を行う（ステップＳ２１０）。この登録処理を実行することで、記憶部１２は媒体記憶部として機能する。登録処理では、登録画面を表示してディスク番号及び色をユーザから受付け、当該ディスク番号及び色を関連付けて光ディスクを登録する。以下、登録済みの光ディスクを登録ディスクと呼ぶ。
【００５１】
そして、第１領域管理部に記憶されている割り当てフラグを、光ディスクが対応付けられていることを示すフラグに書き換える。ステップＳ２０１でメディアＩＤが記憶部１２に記憶されており、光ディスクが登録済みであった場合（ステップＳ２０１でＹＥＳ）、又はステップＳ２１０が終了した場合は、記録再生制御部２４は、録画又は再生等の処理を実行するために、光ディスクドライブ１１に装着されている光ディスクへのアクセスを開始する（ステップＳ２１１）。ステップＳ２０３で光ディスクが再生専用であった場合（ステップＳ２０３でＹＥＳ）、記録再生制御部２４は、光ディスクドライブ１１に装着されている光ディスクに対し、未登録の光ディスクとしてアクセスを開始する（ステップＳ２１２）。
【００５２】
ステップＳ２０６で光ディスクの登録指示の受付がなかった場合（ステップＳ２０６でＮＯ）又はステップＳ２０８で登録解消の指示の受付がなかった場合も（ステップＳ２０８でＮＯ）、記録再生制御部２４は、光ディスクドライブ１１に装着されている光ディスクに対して、未登録の光ディスクとしてアクセスを開始する（ステップＳ２１２）。記録再生装置１は、以上で、光ディスクが装着された際の処理を終了する。
【００５３】
図５は、登録画面の例を示す模式図である。記録再生装置１は、光ディスクの登録指示を受付けた場合、登録画面を表示装置４に表示する。登録画面には、複数のディスク番号及び色の名称が表示されており、登録画面に応じてユーザが登録する光ディスクのディスク番号及び色の名称を選択可能にしてある。記録再生装置１の記録再生制御部２４は、登録画面に表示した複数のディスク番号の内、登録ディスクに対応付けられていない一つのディスク番号と、複数の色の名称の内、一つの色の名称との選択をユーザから受付ける。記録再生制御部２４は、選択されたディスク番号及び色の名称を光ディスクに関連付け、色情報として記憶部１２の領域管理部に記憶する。これにより、割当部としての記録再生制御部２４は、登録した光ディスクに色を割り当てる。
【００５４】
図５に示す例では、登録画面であることを示すメッセージ「ディスクの登録を行います。」と、１〜６のディスク番号と、赤、緑、黄及び青からなる複数の色の名称とが表示されている。また、図５に示す例では、ディスク番号３及び６が登録ディスクに既に割り当てられている。ディスク番号１に位置する矩形枠状のカーソルは、登録ディスクに割り当てられていないディスク番号１、２、４、５間を移動可能にしてある。また、色の名称「緑」に位置する矩形枠状のカーソルは、各色の名称間を移動可能にしてある。
【００５５】
ユーザは、ディスク番号及び色の名称夫々に位置するカーソルをリモコン５が有するカーソルキーを操作して所望のディスク番号及び色の名称に移動させる。そして、ユーザは、リモコン５が有する決定キーを操作することにより、ディスク番号及び色の名称を選択するようにしてある。また、複数の色の内、登録ディスクに割り当てられている色を除く残りの色から選択を受付けて登録する光ディスクに割り当てるようにしてもよい。記録再生装置１は、ディスク番号に対応した記憶部１２の領域管理部に記憶してある色情報を、選択された色の名称を示す色情報に書き換える。
【００５６】
図６は、登録処理の手順を示すフローチャートである。登録処理は、図４で示したステップＳ２１０で実行される。記録再生制御部２４は、記憶部１２の管理領域に記憶されている色情報に含まれる登録ディスクのディスク番号を読み出す（ステップＳ１１）。記録再生制御部２４は、登録ディスクのディスク番号と異なるディスク番号を選択可能にした登録画面を、デコーダ２８、画像処理部２９及び信号出力部３４を介して表示装置４へ画像信号を出力することで表示する（ステップＳ１２）。
【００５７】
記録再生制御部２４は、リモコン受信部３３を介してリモコン５の操作を受付ける（ステップＳ１３）。記録再生制御部２４は、登録画面に応じてユーザによりディスク番号が選択されたか否かを判定する（ステップＳ１４）。記録再生制御部２４は、ディスク番号が選択されていないと判定した場合（ステップＳ１４でＮＯ）、ディスク番号が選択されたと判定するまでステップＳ１３を繰返す。記録再生制御部２４は、ディスク番号が選択されたと判定した場合（ステップＳ１４でＹＥＳ）、リモコン５の操作を受付ける（ステップＳ１５）。
【００５８】
記録再生制御部２４は、登録画面に応じてユーザにより色が選択されたか否かを判定する（ステップＳ１６）。記録再生制御部２４は、色が選択されていないと判定した場合（ステップＳ１６でＮＯ）、色が選択されたと判定されるまでステップＳ１５を繰返す。記録再生制御部２４は、色が選択されたと判定した場合（ステップＳ１６でＹＥＳ）、選択されたディスク番号及び色を関連付けて記憶部１２の管理領域に記憶されている色情報に追加して記憶する（ステップＳ１７）。これにより、記録再生制御部２４は、記憶部１２と共に色を割り当てる割当部として機能する。そして、記録再生制御部２４は、登録処理を終了する。
【００５９】
記録再生装置１は、登録ディスクが光ディスクドライブ１１に装着されている状態で、録画予約の処理を行う。記録再生制御部２４は、後述の予約画面を表示装置４に表示させ、ユーザによるリモコン５の操作を受付けて、録画を予約する番組、すなわち予約番組の指定を受け付ける。記録再生制御部２４は、次に、受け付けた予約番組に従って、予約番組を指定する予約情報を生成し、光ディスクドライブ１１に装着されている登録ディスクのメディアＩＤと関連付けて、予約情報を保存用メモリ２７に記憶させる。
【００６０】
記録再生制御部２４は、次に、ドライブ制御部１３及び光ディスクドライブ１１により、光ディスクドライブ１１に装着されている登録ディスクへ予約情報を記録させる。また、ドライブ制御部１３には、メディアＩＤと予約情報とが互いに関連付けられて記憶されている。予約情報は、チャンネル、番組の放送日時を示す情報を含んでおり、これらの情報により予約番組が指定される。このようにして、保存用メモリ２７は、登録ディスクに関連付けて予約情報を記憶する。記録再生制御部２４は、保存用メモリ２７に記憶してある予約情報に基づいて予約番組を登録ディスクに録画する。また、記録再生制御部２４は、予約番組の録画先（記録先）の登録ディスクが光ディスクドライブ１１に装着されていない場合、当該登録ディスクに対応付けられた記憶領域に録画する。
【００６１】
図７は、予約画面の例を示す模式図である。記録再生装置１は、予約画面を表示して、登録ディスクに対して記録する番組の予約、すなわち録画予約をユーザから受付ける。予約画面には、番組表と、各ディスク番号に対応した複数のタブからなる予約リストとが表示される。図７に示す例では、チャンネル１からチャンネル５までの各チャンネルで９時台から１５時台までの間に放送される番組を示す番組表が表示されている。番組表には、放送日「２００９年７月１４日」と共に放送日を変更するためのカーソルボタンが放送日の両側に配置されている。
【００６２】
また、図７に示す例では、登録ディスクのディスク番号１、２、３及び予備ディスクに対応した複数のタブが表示されている。ユーザにより各タブがクリックされた場合、タブに対応する登録ディスク又は予備ディスクを録画先として番組予約されている予約番組の一覧が表示される。各タブの背景色には、対応するディスク番号に対して割り当てられた色が設定されて表示される。また、番組表内に表示される録画予約された番組、すなわち予約番組の背景色には、録画先のディスク番号に対して割り当てられた色が設定されて表示される。番組表には、選択されているタブに関わらず、全てのタブに対応する登録ディスク夫々を録画先とする各予約番組が、録画先の登録ディスク夫々に割り当てられた色を背景色として表示される。
【００６３】
図７に示す例では、ディスク番号１の登録ディスクに対応するタブ１の背景色と、タブ１の予約リストに含まれており、番組表に表示されている番組「ニュース」の背景色とが、当該登録ディスクに割り当てられた色に設定されている。また、ディスク番号２の登録ディスクに対応するタブ２の背景色と、タブ２の予約リストに含まれており、番組表に表示されている番組「スポーツ中継」の背景色とが、当該登録ディスクに割り当てられた色に設定されている。更にディスク番号３の登録ディスクに対応するタブ３の背景色と、タブ３の予約リストに含まれており、番組表に表示されている番組「ドラマ」の背景色とが、当該登録ディスクに割り当てられた色に設定されている。
【００６４】
これにより、予約番組の録画先の登録ディスクが一目で認識可能となる。各タブ及び番組表に表示される各予約番組の背景全面をディスク番号に関連付けられた色に設定する場合を示したが、これに限るものではない。例えば、各タブ及び各予約番組の背景の一部にディスク番号に関連付けられた色を表示してもよい。また、各タブ及び番組表に表示される各予約番組の背景色をディスク番号に関連付けられた色に設定する場合を示したが、これに限るものではない。例えば、各タブに表示されるディスク番号の文字色、タイトルの文字色及び各予約番組の番組名の文字色をディスク番号に関連付けられた色に設定してもよい。
【００６５】
番組表上に表示されている番組をユーザがクリックした場合、記録再生装置１は、当該番組を録画予約すると共に、選択されているタブに対応する登録ディスクを当該番組の録画先として設定する。また、記録再生装置１は、新たに録画予約された予約番組の情報を、選択されているタブに表示されている予約リストに追加する。記録再生装置１は、予約リストに表示されている番組の情報をユーザがクリックした場合、当該番組を予約リストから削除して録画予約を解除するようにしてある。
【００６６】
図８及び図９は、予約画面の表示処理の手順を示すフローチャートである。記録再生制御部２４は、記憶部１２の管理領域に記憶されている色情報からディスク番号及び色を読み出す（ステップＳ３１）。記録再生制御部２４は、予約画面を表示し（ステップＳ３２）、各タブの背景色をタブに対応するディスク番号夫々に関連付けられた色に設定する（ステップＳ３３）。記録再生制御部２４は、保存用メモリ２７から予約情報を読み出す（ステップＳ３４）。記録再生制御部２４は、予約画面の番組表に表示されている各番組の内、予約番組の背景色を録画先のディスク番号に関連付けられた色に設定する（ステップＳ３５）。これにより、番組表に示された予約番組夫々の録画先の登録ディスクを一目で識別することが可能となる。
【００６７】
記録再生制御部２４は、予約画面で選択中のタブに、当該タブに対応するディスク番号の登録ディスクに録画予約されている番組一覧等からなる予約リストを表示する（ステップＳ３６）。記録再生制御部２４は、予約画面の番組表に表示されている各番組の内、選択中のタブに表示されている予約リストに含まれる予約番組の背景色の明度を、例えば増大させて強調表示するよう変更する（ステップＳ３７）。これにより、番組表に表示された複数の予約番組の内、選択中のタブに対応する登録ディスクを録画先とする予約番組を一目で識別することが可能となる。記録再生制御部２４は、ユーザによるリモコン５の操作を受付ける（ステップＳ３８）。記録再生制御部２４は、異なるタブが選択されたか否かを判定する（ステップＳ３９）。
【００６８】
記録再生制御部２４は、異なるタブが選択されたと判定した場合（ステップＳ３９でＹＥＳ）、ステップＳ３６に処理を戻す。記録再生制御部２４は、異なるタブが選択されていないと判定した場合（ステップＳ３９でＮＯ）、番組表から番組が選択されたか否かを判定する（ステップＳ４０）。記録再生制御部２４は、番組表から番組が選択されたと判定した場合（ステップＳ４０でＹＥＳ）、選択された番組が録画予約済みであるか否かを判定する（ステップＳ４１）。記録再生制御部２４は、録画予約済みであると判定した場合（ステップＳ４１でＹＥＳ）、ステップＳ３８に処理を戻す。記録再生制御部２４は、録画予約済みでないと判定した場合（ステップＳ４１でＮＯ）、選択された番組を選択中のタブの予約リストに追加する（ステップＳ４２）。これにより、記録再生制御部２４は、リモコン５と共に番組の録画予約及び録画先の登録ディスクの選択を受付ける予約部として機能する。
【００６９】
記録再生制御部２４は、終了を受付けたか否かを判定する（ステップＳ４３）。また、ステップＳ４０で番組が選択されていないと判定した場合（ステップＳ４０でＮＯ）、ステップＳ４３に処理を移す。記録再生制御部２４は、ステップＳ４３で終了を受付けていないと判定した場合（ステップＳ４３でＮＯ）、ステップＳ３８に処理を戻す。記録再生制御部２４は、終了を受付けたと判定した場合（ステップＳ４３でＹＥＳ）、保存用メモリ２７に記憶してある予約情報を更新して（ステップＳ４４）、処理を終了する。
【００７０】
記録再生制御部２４は、予約画面に番組表を表示することで番組表表示部として機能する。また、記録再生制御部２４は、番組表に表示される各番組の背景色をディスク番号に関連付けられた色に設定することで色表示部として機能する。更に、記録再生制御部２４は、タブの背景色をディスク番号に関連付けられた色に設定することで予約リストを当該色を用いて表示する予約一覧表示部として機能する。
【００７１】
図１０は、選択画面の例を示す模式図である。記録再生制御部２４は、例えばリモコン５が備える再生キーが押下されて登録ディスクの再生操作を受付けた場合、選択画面を表示する。選択画面には、左側に映像が縮小表示される領域と、右側に各ディスク番号に対応する複数のタブからなり、各登録ディスク又は対応する各記憶領域に記録されているデータのタイトルを示すタイトルリストとが表示される。各タブの背景色は、各タブに対応するディスク番号に関連付けられた色に設定される。図１０に示す例では、ディスク番号１に記録されているデータのタイトルが表示されている。記録再生制御部２４は、表示しているタイトルのうち、カーソルが位置するタイトルの映像を左側に縮小表示する。また、記録再生制御部２４は、リモコン５が備える上下カーソルキーが操作された場合、カーソルをタイトル間で移動させるようにしてある。記録再生制御部２４は、例えばリモコン５が備える再生キーが操作された場合、カーソルが位置するタイトルを再生開始する。再生するタイトルが録画された登録ディスクが光ディスクドライブ１１に装着されていない場合、当該登録ディスクに対応する記憶領域に記憶されているタイトルが再生開始される。また、記録再生制御部２４は、再生するタイトルが録画された登録ディスクを光ディスクドライブ１１に装着するよう促すメッセージを表示装置４に表示させてもよい。
【００７２】
図１１は、再生画面の例を示す模式図である。記録再生装置１は、選択画面に応じて再生するタイトルが選択された場合に、当該タイトルを再生する。記録再生装置１は、タイトルを再生している状態で、例えばリモコン５が備える巻き戻しキー、一時停止キー、再生停止キー、再生キー及び早送りキー等の再生操作を受付けた場合、画像処理部２９により、受付けた再生操作を示す画像を再生映像にＯＳＤ表示させる。図１１に示す例では、リモコン５の早送りキーが押下された場合を示しており、再生映像が早送りされると共に、再生映像の右上に早送りを示す画像４５が再生中の登録ディスクに割り当てられた色を用いてＯＳＤ表示されている。記録再生制御部２４及び画像処理部２９は、映像を再生している登録ディスクに割り当てられた色を用いて画像を表示することで色表示部として機能する。これにより、ユーザは、光ディスクドライブ１１に装着されて再生中の登録ディスクを一目で認識することが可能となる。
【００７３】
図１２は、再生する映像を選択する処理の手順を示すフローチャートである。記録再生制御部２４は、記憶部１２の管理領域に記憶されている色情報からディスク番号及び色を読み出す（ステップＳ５１）。記録再生制御部２４は、再生選択画面を表示し（ステップＳ５２）、各タブの背景色を各タブに対応するディスク番号に関連付けられた色に各設定する（ステップＳ５３）。記録再生制御部２４は、再生選択画面で選択中のタブに、当該タブに対応するディスク番号の光ディスクに記録されている番組の一覧等からなるタイトルリストを表示する（ステップＳ５４）。これにより、記録再生制御部２４は、光ディスクに記録してあるデータの一覧を当該光ディスクに割り当てられた色と共に表示する一覧表示部として機能する。
【００７４】
記録再生制御部２４は、ユーザによるリモコン５の操作を受付ける（ステップＳ５５）。記録再生制御部２４は、異なるタブが選択されたか否かを判定する（ステップＳ５６）。記録再生制御部２４は、異なるタブが選択されたと判定した場合（ステップＳ５６でＹＥＳ）、ステップＳ５４に処理を戻す。記録再生制御部２４は、異なるタブが選択されていないと判定した場合（ステップＳ５６でＮＯ）、タイトルリストからタイトルが選択されたか否かを判定する（ステップＳ５７）。記録再生制御部２４は、タイトルが選択されていないと判定した場合（ステップＳ５７でＮＯ）、ステップＳ５５に処理を戻す。
【００７５】
記録再生制御部２４は、タイトルが選択されたと判定した場合（ステップＳ５７でＹＥＳ）、選択されたタイトルを再生する（ステップＳ５８）。ここで記録再生制御部２４は、再生するタイトルが録画された登録ディスクが光ディスクドライブ１１に装着されている場合、当該登録ディスクを再生する。記録再生制御部２４は、登録ディスクが装着されていない場合、当該登録ディスクに対応する記憶領域を再生する。記録再生制御部２４は、ユーザによるリモコン５の操作を受付ける（ステップＳ５９）。記録再生制御部２４は、例えば、巻き戻し、一時停止、再生停止、再生及び早送り等の再生操作を受付けたか否かを判定する（ステップＳ６０）。記録再生制御部２４は、再生操作を受付けたと判定した場合（ステップＳ６０でＹＥＳ）、再生中のディスク番号に関連付けられた色を用い、受付けた再生操作を示す画像を所定時間ＯＳＤ表示する（ステップＳ６１）。
【００７６】
記録再生制御部２４は、再生を終了したか否かを判定する（ステップＳ６２）。また、ステップＳ６０で再生操作を受付けていないと判定した場合（ステップＳ６０でＮＯ）、ステップＳ６２に処理を移す。記録再生制御部２４は、再生を終了していないと判定した場合（ステップＳ６２でＮＯ）、ステップＳ５９に処理を戻す。記録再生制御部２４は、再生を終了したと判定した場合（ステップＳ６２でＹＥＳ）、処理を終了する。
【００７７】
図１３は、選択画面の他の例を示す模式図である。選択画面には、登録ディスク又は対応付けられた記憶領域に録画されている各映像から抽出した静止画の一覧を表示（サムネイル表示）してもよい。記録再生制御部２４は、保存用メモリ２７に記憶してある予約情報に基づいて各登録ディスクに番組を録画する場合に、当該番組の映像から静止画を抽出して保存用メモリ２７に記憶する。そして、記録再生制御部２４は、保存用メモリ２７に記憶した静止画を読み出して静止画の一覧からなる選択画面を表示する。また、静止画に限るものではなく、映像の一部を保存用メモリ２７に記憶してもよい。この場合、記録再生制御部２４は、当該映像の一部を繰返して再生して得た再生映像の一覧からなる選択画面を表示する。
【００７８】
記録再生制御部２４は、記憶部１２の領域管理部に記憶してある色情報から、各静止画が抽出された映像を録画している登録ディスク、又は当該映像を録画している記憶領域に対応付けられた登録ディスクに対して割り当てられた色を読み出す。そして、記録再生制御部２４は、各登録ディスクに対して割り当てられた色を用いて、対応する各静止画に縁を表示する。これにより、各静止画が抽出された番組の録画先の登録ディスクを一目で認識することが可能となる。記録再生制御部２４は、ユーザによるリモコン５の操作を受付けて、選択された静止画の映像を再生する。図１３に示す例では、ディスク番号１の登録ディスクに記録されている３つの映像の静止画夫々が、ディスク番号１に割り当てられた色の縁と共に表示されている。
【００７９】
また、ディスク番号２の登録ディスクに記録されている１つの映像の静止画が、ディスク番号２に割り当てられた色の縁と共に表示されている。更にディスク番号３の登録ディスクに記録されている２つの映像の静止画夫々が、ディスク番号３に割り当てられた色の縁と共に表示されている。また、上段左端のディスク番号１の静止画には、カーソルが位置していることを示す太枠が表示されている。記録再生制御部２４は、リモコン５が備えるカーソルキーが操作された場合、カーソルを静止画間で移動させるようにしてある。記録再生制御部２４は、例えばリモコン５が備える再生キーが操作された場合、カーソルが位置する静止画に対応する映像を登録ディスクから再生開始する。
【００８０】
図１４は、画像登録画面の例を示す模式図である。記録再生装置１は、登録ディスクに対して色を割り当てる場合に限らず、アイコン等の画像を割り当てるようにしてもよい。この場合、登録画面に応じてディスク番号を受付けた後に、複数の異なる画像が表示された画像選択画面を表示して登録ディスクに割り当てる画像の選択を受付けるとよい。図１４に示す画像選択画面の例では、登録ディスクに対して割り当てる画像の選択をユーザに促すメッセージ「どなたのディスクですか？」が表示されている。
【００８１】
画像選択画面には、保存用メモリ２７に予め記憶された祖父、祖母、父親、母親、女の子、男の子及び家族全員夫々に対応する複数の画像が記録再生制御部２４により読み出され、並べて表示されている。また、左上の祖父に対応する画像にカーソルが位置している。ユーザは、リモコン５が備えるカーソルキーを操作してカーソルを所望の画像に移動させて割り当てる画像を選択する。記録再生制御部２４は、選択された画像を示す情報を用いて記憶部１２の領域管理部に記憶してある色情報を書き換える。複数の画像は、予め設定されているものに限らず、各ユーザの顔写真及び似顔絵等を図示しない入力部を用いて受付けて選択可能にしてもよい。
【００８２】
図１４に示す画像登録画面の例では、「似顔絵新規作成」と表示されたソフトウェアボタンを備えている。記録再生制御部２４は、ソフトウェアボタンが操作された場合、保存用メモリ２７に予め記憶してあり、ユーザが画像を描画するためのアプリケーションを読み出して実行する。記録再生制御部２４は、リモコン５に備えられたカーソルキー又は図示しないマウス等のポインティングデバイスのユーザによる操作を受付けて、表示装置４の画面上で似顔絵を描画する。記録再生制御部２４は、描画された似顔絵の画像データを保存用メモリ２７に記憶し、当該画像データを示す情報とディスク番号とを関連付けて記憶部１２の管理領域に記憶してある色情報に追加する。これにより、似顔絵を示す画像が登録ディスクに割り当てられる。
【００８３】
図１５は、予約画面の他の例を示す模式図である。記録再生制御部２４は、画像がディスク番号に割り当てられた場合、各タブに対応するディスク番号、すなわち登録ディスクに対して割り当てられた画像が各タブに表示された予約画面を表示する。また、記録再生制御部２４は、番組表の予約番組が録画先の登録ディスクに対して割り当てられた画像と共に示された予約画面を表示する。図１５に示す例では、ディスク番号１の登録ディスクに対して登録されたスマイルマークの画像がタブ及び番組表内の予約番組に表示されている。また、ディスク番号２の登録ディスクに対して登録された星印の画像がタブ及び番組表内の予約番組に表示されている。色又は画像のいずれかを登録ディスクに割り当てる場合に限らず、色及び画像を共に登録ディスクに割り当ててもよい。この場合、各タブ及び各予約番組の背景色を登録ディスクに割り当てられた色で表示すると共に、登録ディスクに割り当てられた画像も各タブ及び各予約番組に表示するとよい。
【００８４】
本実施の形態１では、表示装置４の画面に登録ディスクに割り当てられた色又は画像を用いた画面を表示する場合を示したが、これに限るものではない。例えば、記録再生装置１に登録ディスクに割り当てた色の光を発光するＬＥＤ（ Light Emitting Diode ）等からなる複数の色表示部を設けてもよい。この場合、記録再生制御部２４は、選択中のタブに対応するディスク番号の登録ディスクに割り当てられた色の色表示部を点灯する。また、再生しているタイトルが記録されている登録ディスク又は記憶領域に対応付けられた登録ディスクに割り当てられた色の色表示部を点灯する。
【実施の形態２】
【００８５】
図１６は、記録再生装置の内部ハードウェアの例を示すブロック図である。本実施の形態２は、実施の形態１が記録再生制御部２４に記憶してあるプログラムを実行するのに対して、光ディスクから読み出したプログラムを実行するようにしてある。記録再生装置６は、バックエンド部５０を備える。バックエンド部５０は、記録再生制御部５１を備えており、光ディスクドライブ１１により光ディスク８から読み出したプログラム８０を保存用メモリ２７に記憶するようにしてある。そして、記録再生制御部５１は、保存用メモリ２７に記憶したプログラム８０を読み出して実行するようにしてある。記録再生制御部５１は、プログラム８０に従って、各登録ディスクに対して割り当てる色を受付ける（受付ステップ）。そして記録再生制御部５１は、記憶部１２の各登録ディスクに対応する領域管理部に受付けた色を色情報として記憶する（記憶ステップ）。
【００８６】
本発明に係るプログラム８０は、光ディスク８から読み出して保存用メモリ２７に記憶される場合に限るものではなく、メモリカード等の外部メモリに記憶させても良い。この場合、記録再生制御部５１に接続される図示しない外部メモリからプログラム８０を読み出して保存用メモリ２７に記憶させる。さらに記録再生制御部５１に接続された図示しない通信部と外部のコンピュータとの間で通信を確立し、係るプログラム８０を保存用メモリ２７へダウンロードしても良い。
【００８７】
本実施の形態は以上の如きであり、その他は実施の形態１と同様であるので対応する部分には同一の符号及び処理名を付してその詳細な説明を省略する。
【符号の説明】
【００８８】
１、６  記録再生装置（再生装置）
１０  ハイブリッドドライブ部
１１  光ディスクドライブ
１２  記憶部（データ記憶部、媒体記憶部、関連記憶部）
１３  ドライブ制御部
１４、２６  インターフェース部
２０、５０  バックエンド部
２１  デジタルチューナ
２２  エンコーダ
２３  ストリーム処理部
２４、５１  記録再生制御部（割当部、色表示部、一覧表示部、記録部、予約部、番組表表示部、予約一覧表示部）
２７  保存用メモリ
２８  デコーダ
２９  画像処理部
３１  放送入力部
３２  信号入力部
３３  リモコン受信部
３４  信号出力部
４  表示装置
５  リモコン（リモートコントローラ）
６１、６２、…  光ディスク（記録媒体）
７１、７２、７３、…  光ディスク（記録媒体）
８  光ディスク（記録媒体）
８０  プログラム
【図１】
2011033923.tif 000003
【図２】
2011033923.tif 000004
【図３】
2011033923.tif 000005
【図４】
2011033923.tif 000006
【図５】
2011033923.tif 000007
【図６】
2011033923.tif 000008
【図７】
2011033923.tif 000009
【図８】
2011033923.tif 000010
【図９】
2011033923.tif 000011
【図１０】
2011033923.tif 000012
【図１１】
2011033923.tif 000013
【図１２】
2011033923.tif 000014
【図１３】
2011033923.tif 000015
【図１４】
2011033923.tif 000016
【図１５】
2011033923.tif 000017
【図１６】
2011033923.tif 000018
【国際調査報告】
2011033923.tif 000019
2011033923.tif 000020
2011033923.tif 000021
2011033923.tif 000022